(57)【要約】【課題】電気配線が必要な照明灯を備えることなしに、陳列棚に載置される品物を照明する。【解決手段】陳列棚１に設けられた品物４を載置するための載置台６の前方領域には、透過型のスクリーン７が配置される。プロジェクタ装置１４から投射されたプロジェクタ画像の一部は、陳列棚１の内部に設けられた第１の光学系２３ａによって分割された上でスクリーン７の裏面側に導かれて表面側まで透過投影される。また、プロジェクタ画像の別の一部は、陳列棚１の内部に設けられた第２の光学系２３ｂによって載置台６の上の載置空間５まで導かれ、載置空間５に配置されている品物４を照明する。【選択図】図３
2008194120.tif 000002
【特許請求の範囲】
【請求項１】
異なる高さ位置に配置され、それぞれの上部に品物を載置可能な載置空間を形成する複数個の載置台と、
前記載置台に個々に対応付けて当該載置台の前方領域に位置付けられ、裏面側から投影されたプロジェクタ画像を表面側に透過投影可能な複数個の透過型スクリーンと、
一画面で構成されたプロジェクタ画像を投射するプロジェクタ装置が配置されるプロジェクタ設置部と、
前記一画面で構成されたプロジェクタ画像に含まれる第１の部分画像を個々の前記透過型スクリーンの裏面側に分割して導く第１の光学系と、
前記一画面で構成されたプロジェクタ画像に含まれる前記第１の部分画像とは別の第２の部分画像を１または２以上の前記載置空間に導く第２の光学系と、
を備える陳列棚。
【請求項２】
前記第２の光学系の一部は、前記載置空間の上方に配置され、前記第２の部分画像を当該載置空間の上方から下方に向かう方向に導く、請求項１記載の陳列棚。
【請求項３】
前記第２の光学系の一部は、前記載置空間の下方に配置され、前記第２の部分画像を当該載置空間の下方から上方に向かう方向に導く、請求項１または２記載の陳列棚。
【請求項４】
前記第２の光学系の一部は、前記第２の部分画像を前記載置空間に拡散させて導く拡散光学系である、請求項１から３のいずれか一に記載の陳列棚。
【発明の詳細な説明】
【技術分野】
【０００１】
本発明は、裏面側に受けたプロジェクタ画像を表面に透過投影可能な透過型のスクリーンを備えた陳列棚に関する。
【背景技術】
【０００２】
従来、スーパーマーケットやコンビニエンスストアなどの小売業の店舗の売場等に設置される陳列棚において、陳列される品物が顧客の目につきやすいように、品物に照明を当てて明るく照らすことが行われている。例えば、特許文献１には、陳列された品物へ照射される光の拡散や乱反射を防止するために照明灯を透明な合成樹脂製のカバーで覆った陳列棚が、特許文献２には、プライスカードなどのタグを差し込むタグモールの下方に遮光シェードとＰＯＰ広告板との両方の機能を持つパネルを設け、タグモールの背面に照明灯を照射してタグモールだけを効果的に照らす陳列棚が、特許文献３には、半透明で透光性のある商品表示板の背後に照明灯を設け、商品表示板と棚板上に載置された品物とを同時に照射する陳列棚が、それぞれ開示されている。
【０００３】
【特許文献１】特開２０００−２３７０１１公報
【特許文献２】特開平０９−２８５３６９号公報
【特許文献３】特開平０７−２３１８３８号公報
【発明の開示】
【発明が解決しようとする課題】
【０００４】
特許文献１ないし３に記載されている陳列棚では、載置台の上方や陳列棚の内部に照明灯を取り付けて、陳列棚の載置台に載置された品物に照明光を当てている。しかし、陳列棚に別途照明灯を取り付けると、照明灯を点灯させるための電気配線を内部に格納したり、載置台の裏面などに隠したりするなどの処理を行う必要がある。
【０００５】
本発明の目的は、電気配線が必要な照明灯を備えることなしに、陳列棚に載置される品物を照明することである。
【課題を解決するための手段】
【０００６】
本発明の陳列棚は、異なる高さ位置に配置され、それぞれの上部に品物を載置可能な載置空間を形成する複数個の載置台と、前記載置台に個々に対応付けて当該載置台の前方領域に位置付けられ、裏面側から投影されたプロジェクタ画像を表面側に透過投影可能な複数個の透過型スクリーンと、一画面で構成されたプロジェクタ画像を投射するプロジェクタ装置が配置されるプロジェクタ設置部と、前記一画面で構成されたプロジェクタ画像に含まれる第１の部分画像を個々の前記透過型スクリーンの裏面側に分割して導く第１の光学系と、前記一画面で構成されたプロジェクタ画像に含まれる前記第１の部分画像とは別の第２の部分画像を１または２以上の前記載置空間に導く第２の光学系と、を備える。
【発明の効果】
【０００７】
本発明によれば、陳列棚は、プロジェクタ装置から投射されるプロジェクタ画像に含まれる第１の部分画像をスクリーンに導く第１の光学系の他に、プロジェクタ画像に含まれる第１の部分画像とは別の第２の部分画像を載置台の載置空間に導く第２の光学系を備え、プロジェクタ画像の一部は載置台に載置された品物を照明する照明光として利用されるため、電気配線が必要な照明灯を備えなくても、陳列棚に載置される品物を照明することができる。
【発明を実施するための最良の形態】
【０００８】
［構造］
本発明の実施の一形態を図１ないし図７に基づいて説明する。本実施の形態は、スーパーマーケットへの適用に適した陳列棚システム１０１について紹介する。
【０００９】
図１は、陳列棚システム１０１の全体の模式図である。
【００１０】
本実施の形態の陳列棚システム１０１は、店舗内に設置される陳列棚１と、陳列棚１の内部に設置されるプロジェクタ装置１４と、バックヤードに配置されるコンピュータ１６とから構成されている。プロジェクタ装置１４とコンピュータ１６とは、ネットワーク１０２を介して接続されている。
【００１１】
陳列棚１は、品物４を載置可能な載置台６を備えている。載置台６は、側面を一対の側板３に支持されている棚板であり、それぞれ異なる高さ位置に三段設けられ、それぞれの上部に品物４を載置可能な載置空間５を形成している。陳列棚１は、また、各載置台６の前端から下方に、鉛直よりも上方向に傾斜されて位置づけられているスクリーン７を備えている。つまり、スクリーン７は、各載置台６に個々に対応付けて当該載置台６の前方領域に位置づけられることになる。このスクリーン７は、例えば磨りガラス様の構造を備え、裏面側から投影されるプロジェクタ画像を表面に透過投影可能な透過型のものである。スクリーン７は、載置台６の幅一杯に切れ目無く形成されている。
【００１２】
陳列棚１の内部には、プロジェクタ装置１４が配置されるプロジェクタ設置部１９ａが設けられている。プロジェクタ設置部１９ａに配置されるプロジェクタ装置１４は、レンズ１５（図３参照）からスクリーン７に向けてプロジェクタ画像を投射する、例えば液晶プロジェクタである。プロジェクタ装置１４は、ネットワーク１０２を介してバックヤードに設置されたコンピュータ１６と接続する。コンピュータ１６は、その外観態様として、本体タワー１０３、ディスプレイ１０４、キーボード１０５、およびマウス等のポインティングデバイス１０６を備えて構成され、プロジェクタ装置１４が投射するプロジェクタ画像の画像データを管理する。
【００１３】
プロジェクタ装置１４は、コンピュータ１６から送信された画像データを受信し、受信した画像データに基づく一画面で構成されたプロジェクタ画像を生成し、生成したプロジェクタ画像をスクリーン７に投影する。  
続いて、陳列棚１の構成について説明する。
【００１４】
図２は、陳列棚１の全体の斜視図である。陳列棚１の外観構成について、図２に基づいて説明する。
【００１５】
陳列棚１は、その枠組みを、一対の側板３に挟まれる天板２、上部前板１１ａ、背板１０（図３参照）および下部前板１１によって構成される。天板２は、陳列棚１の最上部に位置づけられ一対の側板３に挟まれて水平となるように固定されている。上部前板１１ａは、陳列棚１の前面の上方に位置づけられ、一対の側板３に挟まれ上辺を天板２の前端と接続して鉛直となるように固定されている。また、下部前板１１は、陳列棚１の前面の下方に位置づけられ、一対の側板３に挟まれて下辺を床面に接して、鉛直となるように固定されている。また、背板１０は、陳列棚１の背面に、下辺を床面に接し、上辺を天板２に接続して、一対の側板３に挟まれて鉛直となるように固定されている。
【００１６】
陳列棚１には、品物４を載置可能な三段の載置台６が配置されている。すなわち、陳列棚１の下方には最下段の載置台６ｃが配置され、順次上方に向け中段の載置台６ｂ、最上段の載置台６ａが配置されている。各載置台６（６ａ、６ｂ、６ｃ）は一対の側板３に挟まれて水平となるように固定され、各載置台６の上部に品物４を載置可能な載置空間を形成している。最下段の載置台６ｃの前端は、下部前板１１の上端と接続されている。また、載置台６ａ、６ｂの前端の下方には、載置台６ａ、６ｂおよび一対の側板３に固定されてスクリーン７ａ、７ｂが配置されている。スクリーン７（７ａ、７ｂ）は、陳列棚１の内部に設けられる複数枚の反射鏡を備える反射光学系において、プロジェクタ装置１４の内部に設けられている液晶表示装置を物体面として、その液晶表示装置と共役の関係にある像面２９（図３参照）と位置および向きを一致させて配置されている。その詳細については、図３に基づいて後述する。
【００１７】
各載置台６の奥側端部には、載置台６の奥行きを規定する奥板１２が立設配置される。これらの奥板１２（１２ａ、１２ｂ、１２ｃ）のうち、奥板１２ｂ、１２ｃの最上部からは、載置台６の設置方向に沿って載置台６の天井部をなす天井板９（図３参照）が配置されている。天井板９はスクリーン７の裏面側に、プロジェクタ装置１４から投影されるプロジェクタ画像を遮らないように水平にそれぞれ配置されている。各天井板９は、その前端を各天井板９の上方に配置されているスクリーン７の下端に接続する。すなわち、中段の載置台６ｂの天井部をなす天井板９ｂはその前端をスクリーン７ａの下端に接続し、最下段の載置台６ｃの天井部をなす天井板９ｃはその前端をスクリーン７ｂの下端に接続する。
【００１８】
一方、奥板１２ａの最上部には、最上段の載置台６ａの天井部をなす天井板は配置されていない。
【００１９】
なお、別の実施の形態として、奥板１２ａの最上部から最上段の載置台６ａの設置方向に沿って水平に配置し、上部前板１１ａに前端を接続させた、透明のアクリル板などのプロジェクタ画像を遮ることなくそのまま通過させる材質で形成された天井板を配置してもよい。
【００２０】
図３は、陳列棚１の縦断側面図である。陳列棚１の内部構成について、図３に基づいて説明する。
【００２１】
陳列棚１の内部空間で上部前板１１ａや各スクリーン７の後方には、載置台６や天板２と平行に平面状の広がりをもった段部画像投影空間１８が形成されている。より詳細には、上部前板１１ａの後方かつ天板２の下方の領域には段部画像投影空間１８ａが、スクリーン７ａに接続する天井板９ｂと載置台６ａとの間の領域には段部画像投影空間１８ｂが、スクリーン７ｂに接続する天井板９ｃと載置台６ｂとの間の領域には段部画像投影空間１８ｃが、それぞれ形成されている。
【００２２】
また、陳列棚１の内部空間の下方で下部前板１１と背板１０との間には、上下方向に広がりをもった下部空間１９が形成されている。
【００２３】
また、陳列棚１の内部空間の奥側で背板１０と奥板１２との間には、背板１０と平行に鉛直方向の広がりをもった奥側画像投影空間１７が形成されている。
【００２４】
陳列棚１は、陳列棚１の下部空間１９で、陳列棚１の底面を構成する底板１３の上にプロジェクタ設置部１９ａを備えている。プロジェクタ設置部１９ａは、プロジェクタ装置１４の光学軸Ｏを後方水平方向に向けてプロジェクタ装置１４を配置する形状に構成されている。
【００２５】
陳列棚１は、また、奥側画像投影空間１７および下部空間１９に、複数個の反射鏡を備える光学系を備えている。これらの複数個の反射鏡は、主反射鏡２１と、２枚の照明鏡２２（２２ａ、２２ｂ）と、２枚の投影鏡２４（２４ａ、２４ｂ）とである。これらの反射鏡の組み合わせによって、主反射鏡２１と投影鏡２４ａ、２４ｂとを備える第１の光学系２３ａと、主反射鏡２１と照明鏡２２ａ、２２ｂとを備える第２の光学系２３ｂとが構成されている。
【００２６】
第１の光学系２３ａおよび第２の光学系２３ｂを構成するこれらの反射鏡について、さらに説明する。
【００２７】
主反射鏡２１は、陳列棚１の下部空間１９の奥側でレンズ１５の高さに位置づけられ、プロジェクタ装置１４から水平方向に投射されるプロジェクタ画像を上方向に偏向させる向きに配置される。
【００２８】
投影鏡２４は、陳列棚１の奥側画像投影空間１７で主反射鏡２１の上方に、各スクリーン７に対応づけて２枚配置される。これらの投影鏡２４はその上端を対応するスクリーン７の上縁部の高さ位置に合わせ、プロジェクタ画像をスクリーン７の裏面側に投影する向きに配置される。すなわち、投影鏡２４ａはプロジェクタ画像をスクリーン７ａの裏面側に投影する向きに、投影鏡２４ｂはプロジェクタ画像をスクリーン７ｂの裏面側に投影する向きに、それぞれ配置される。
【００２９】
照明鏡２２は、陳列棚１の奥側画像投影空間１７および段部画像投影空間１８ａで、下方から投射されるプロジェクタ画像を偏向して、最上段の載置台６ａの上部に形成されている載置空間５ａに導く位置および向きに配置されている。すなわち、照明鏡２２ａは、上端を天板２の高さ位置に合わせ、下方から投射されるプロジェクタ画像を段部画像投影空間１８ａに投射する向きに配置される。また、照明鏡２２ｂは、段部画像投影空間１８ａで陳列棚１の前方に位置づけられ、照明鏡２２ａによって偏向され段部画像投影空間１８ａに入射されるプロジェクタ画像を、載置空間５ａに偏向させる向きに配置される。つまり、照明鏡２２ｂは載置空間５ａの上方に配置され、プロジェクタ画像を載置空間５ａの上方から下方に向かう方向に導くように配置されている。
【００３０】
主反射鏡２１、照明鏡２２ａおよび投影鏡２４は平面鏡であり、プロジェクタ画像を反射する鏡面を一方の面に備えている。また、照明鏡２２ｂは、プロジェクタ画像を反射する鏡面が断面凸形状の凸面鏡であり、入射されるプロジェクタ画像を載置空間５ａに反射する鏡面を一方の面に備えている。
【００３１】
これらの反射鏡の中で、投影鏡２４ａ、２４ｂおよび照明鏡２２ａは、陳列棚１の前後方向に位置を違えて、主反射鏡２１によって偏向されて下方から入射されるプロジェクタ画像を互いに遮らない位置関係に配置される。
【００３２】
以上に述べたような外観構成および内部構成の陳列棚１において、プロジェクタ装置１４がスクリーン７に投影するプロジェクタ画像について、図４ないし図６に基づいて説明する。
【００３３】
図４は、プロジェクタ装置１４に画像データを送信するコンピュータ１６のハードウェア構成を示すブロック図である。図４に基づいて、コンピュータ１６のハードウェア構成について説明する。
【００３４】
コンピュータ１６は、情報処理部としてのマイクロコンピュータ３０１を有している。マイクロコンピュータ３０１は、各種演算処理を実行するＣＰＵ３０２と、ＢＩＯＳ等の固定データを固定的に記憶するＲＯＭ３０３と、各種可変データを書き替え自在に記憶してワークエリアとして使用されるＲＡＭ３０４とを備えて構成されている。マイクロコンピュータ３０１には、ＨＤＤ３０６とＣＤ−ＲＯＭドライブ３０７とが、バスライン３０５を介してデータ通信自在に接続されている。一例として、ＯＳ３１０（オペレーティングシステム、図５参照）や各種のアプリケーションプログラムを記憶するＣＤ−ＲＯＭ３０８からＣＤ−ＲＯＭドライブ３０７が情報を読み取り、これをＨＤＤ３０６にインストールすることができるように構成されている。
【００３５】
また、図１に外観態様を示した前述のディスプレイ１０４、キーボード１０５およびポインティングデバイス１０６も、バスライン３０５を介してマイクロコンピュータ３０１に接続されている。ディスプレイ１０４は、マイクロコンピュータ３０１に対する出力機器となり、キーボード１０５およびポインティングデバイス１０６は、マイクロコンピュータ３０１に対する入力機器となる。
【００３６】
さらに、マイクロコンピュータ３０１には通信インターフェイス３０９も接続されている。この通信インターフェイス３０９は、ネットワーク１０２を介してプロジェクタ装置１４との間の通信を可能とするプロトコルをサポートしている。
【００３７】
図５は、プロジェクタ装置１４が投射するプロジェクタ画像の基礎となる画像データを編集生成するためのコンピュータ１６上での仕組みを例示する模式図である。図５に基づいて、コンピュータ１６上で画像データを編集生成する仕組みについて説明する。
【００３８】
コンピュータ１６のＨＤＤ３０６には、プロジェクタ装置１４から投影される画像データの編集および生成を可能とするアプリケーションプログラムとして、画像形成ソフトウェア３１１がインストールされている。また、ＨＤＤ３０６には、画像形成ソフトウェア３１１と共に利用される画像ライブラリ３１２もインストールされている。このような画像形成ソフトウェア３１１としては、例えばマイクロソフト社のパワーポイント（商品名）が用いられる。このような画像形成ソフトウェア３１１によれば、コンピュータ１６上で画像データを編集生成することが可能であり、生成した画像データ上に文字を重畳させることも可能である。また、画像形成ソフトウェア３１１によれば、画像データの編集生成に際して、画像ライブラリ３１２に含まれている各種のモデル画像を利用し、これを編集生成した画像上に貼り付けることができる。画像ライブラリ３１２は、例えば、各種の食品等の写真データや絵柄データをモデル画像として記憶している。
【００３９】
画像形成ソフトウェア３１１は、その起動に伴って、そのプログラムコードの全部又は一部がＲＡＭ３０４にコピーされ、画像形成ソフトウェア３１１に基づく処理速度の高速化が図られる。また、このような画像形成ソフトウェア３１１のＲＡＭ３０４へのコピーに付随して、画像ライブラリ３１２の全部又は一部もＲＡＭ３０４にコピーされ、処理速度の高速化が図られる。そして、マイクロコンピュータ３０１は、画像形成ソフトウェア３１１によって編集生成した画像データを、通信インターフェイス３０９からネットワーク１０２を介してプロジェクタ装置１４に送信することができる。
【００４０】
図６は、コンピュータ１６上で編集生成されたプロジェクタ画像の基礎となる画像データの一例を示す模式図である。図４および図５に基づいて前述したハードウェア構成およびソフトウェア構成のコンピュータ１６を用いて編集生成された画像データについて、図６に基づいて説明する。なお、図６に示す画像データは、コンピュータ１６のディスプレイ１０４に表示された態様として示している。
【００４１】
図６に示すように、画像データは一画面で構成されている。その画面データには、投影鏡２４に偏向されてスクリーン７に投影される第１の部分画像４０１の領域と、照明鏡２２に偏向されて載置空間５に導かれる第２の部分画像４０２の領域と、が含まれる。
【００４２】
第１の部分画像４０１の領域は、スクリーン７の形状にあわせた帯状の矩形形状であり、この領域の中には、スクリーン７に透過投影する第１の部分画像４０１の画像データが格納され、例えば、各種の食品等のモデル画像やＰＯＰ書体の文字が格納される。
【００４３】
第２の部分画像４０２の領域は、載置空間５に光を導く照明鏡２２ｂにあわせた帯状の矩形形状であり、この領域は白色の画素データで構成される。そして、画像データ中、第１の部分画像４０１および第２の部分画像４０２以外の領域は、ブラックアウトされている。
【００４４】
図６に示した一例について説明する。画像データのうち第１の部分画像４０１ａの領域には、「特売セール中」および「全品１０％ＯＦＦ」という文字表示と、野菜の絵柄表示とが含まれている。これらの絵柄表示は、画像ライブラリ３１２から取得可能なものである。また、画像形成ソフトウェア３１１がパワーポイントであれば、絵柄表示を揺れる表示にすることができる。また、画像データのうち第１の部分画像４０１ｂの領域には、「産地直送！！」、「お鍋に！炒め物に！」および「新鮮野菜！」という文字表示と、各種のイラスト画像とが含まれている。これらのイラスト画像も、画像ライブラリ３１２から取得可能である。
［作用］
陳列棚１は、プロジェクタ装置１４から投射される一画面構成のプロジェクタ画像をスクリーン７に表示すべき画像である複数の分割プロジェクタ画像に分割して各スクリーンの裏面側に導く第１の光学系２３ａの他に、前記一画面構成のプロジェクタ画像を載置台に載置された品物４の照明光とすべき分割プロジェクタ画像に分割して載置空間に導く第２の光学系２３ｂを備えている。プロジェクタ装置１４から陳列棚１の後方水平方向に投射される一画面構成のプロジェクタ画像の一部である第１の部分画像４０１は、第１の光学系２３ａによって分割され個々の透過型のスクリーン７の裏面側まで導かれる。一画面構成のプロジェクタ画像のうち、第１の部分画像４０１とは別の第２の部分画像４０２は、第２の光学系２３ｂによって載置空間５ａに導かれる。つまり、本実施の形態の陳列棚１はプロジェクタ装置１４を用いてスクリーン７にＰＯＰ広告や棚札表示を透過投影する形式であり、プロジェクタ画像の一部を載置台６に載置される品物４に照明する照明光として利用するため、別途電気配線が必要な照明灯を備える必要がない。
【００４５】
すなわち、プロジェクタ装置１４から陳列棚１の後方水平方向に投射される一画面構成のプロジェクタ画像は、主反射鏡２１によって上方向に偏向された後に、投影鏡２４ａ、２４ｂおよび照明鏡２２ａに入射される。投影鏡２４ａ、２４ｂおよび照明鏡２２ａは、入射されるプロジェクタ画像を互いに遮らない位置関係に配置されているために、プロジェクタ画像はこれらの反射鏡によって分割される。
【００４６】
コンピュータ１６で編集生成されるデータ画像のうち第１の部分画像４０１の領域はスクリーン７に対応している。そして、投影鏡２４ａ、２４ｂに入射された一画面構成の前記プロジェクタ画像は、第１の部分画像４０１ａ、４０１ｂに分割され、これらの分割プロジェクタ画像は、それぞれスクリーン７ａ、７ｂの裏面側に投影され、表面側に透過投影される。スクリーン７ａ、７ｂは、プロジェクタ装置１４の内部に設けられている液晶表示装置の像面２９と位置および向きを一致させて配置されているために、正確に合焦して分割プロジェクタ画像が投影される。そのため、コンピュータ１６を操作して第１の部分画像４０１の領域内にスクリーン７に投影したいモデル画像や文字を配置して画像データを編集生成し、第１の部分画像４０１の領域内で作成した画像データをスクリーン７に透過投影させることにより、コンピュータ１６で生成した画像を顧客に棚札表示として表示することができる。
【００４７】
また、コンピュータ１６で編集生成されるデータ画像のうち第２の部分画像４０２の領域は載置空間５ａに対応している。そして、照明鏡２２ａに入射された一画面構成の前記プロジェクタ画像は第２の部分画像４０２に分割され、この分割プロジェクタ画像は、拡散光学系である凸面鏡の照明鏡２２ｂによって拡散反射され、載置空間５ａまで導かれる。そのため、コンピュータ１６を操作して第２の部分画像４０２の領域内に、載置台６ａに載置する品物４に投影したい照明光となる画像データを編集生成し、第２の部分画像４０２の領域内で生成した画像データをプロジェクタ装置１４から投射することにより、コンピュータ１６で生成した画像を品物４への照明光として用いることができる。
【００４８】
図７は、コンピュータ１６上で編集生成された画像データがプロジェクタ装置１４によって投影された状態の一例を示す陳列棚１の模式図である。コンピュータ１６は、図６に例示するような画像を含む画像データを通信インターフェイス３０９からネットワーク１０２を介してプロジェクタ装置１４に送信することができる。そのため、コンピュータ１６を操作して、図６に示したような画像データを編集生成すると、スクリーン７ａには陳列される品物４を顧客に知らしめるアイキャッチャーとなる画像を、スクリーン７ｂには棚札表示となる画像を表示して、顧客に対し品物４に関する情報を、それぞれ表示することができ、さらに、品物４に照明光を照射することができる。すなわち、コンピュータ１６を操作して、第１の部分画像４０１の領域のうちスクリーン７ａに対応する領域（図６の４０１ａ）に、「特売セール中」などのＰＯＰ文字と野菜のイラストとを配置したＰＯＰ広告に用いる画像を、スクリーン７ｂに対応する領域（図６の４０１ｂ）に「産地直送！！」、「お鍋に！炒め物に！」および「新鮮野菜！」の文字などで構成された棚札表示に用いる画像を生成し、画像データの第２の部分画像４０２の領域内を白色の画素データで構成した画像データを生成すると、図７に示すように、スクリーン７ａにはＰＯＰ広告を、スクリーン７ｂには棚札表示をそれぞれ透過投影させることができ、さらに、最上段の載置台６ａに載置された品物４には照明鏡２２ｂで反射された白色のプロジェクタ画像が、品物４を照明する照明光として照射される。
【００４９】
ここで、プロジェクタ画像のうちスクリーン７に投影される部分に対応する第１の部分画像４０１ａに、揺れる表示効果やスクロール表示効果などのアニメーション効果を持ち合わせたモデル画像を配置することによって、スクリーン７に透過投影させるプロジェクタ画像にアニメーション効果を持たせ、より顧客の目を惹くＰＯＰ広告や棚札表示を表示することができる。
【００５０】
なお、本実施の形態では、第２の部分画像４０２はその領域内を白色の画素データのみで構成し、載置台６に載置された品物４に白い照明光を照明しているが、別の実施の形態として、第２の部分画像４０２の領域内に白色の星型の画像データが平行移動するアニメーション効果を持ち合わせたモデル画像を配置して画像データを編集生成することにより、載置台６に載置された品物４に平行移動する星型の照明光が投射することができ、流れ星が品物４の表面を駆け抜けていくという演出を行うこともできる。また、さらに別の実施の形態として、第２の部分画像４０２の領域内に白色で塗りつぶされた円形図形を並べた画像データを編集生成することにより、品物４にスポットライトのような丸い白色の照明光を当てて、所定の品物４を顧客に注目させるような演出を行うこともできる。
［別の実施の形態］
次いで、別の実施の形態を図８および図９に基づいて説明する。この場合、図１ないし図７に基づいて説明した実施の一形態と同一の部分は同一符号で示し、説明も省略する。
【００５１】
本発明の別の実施の一形態の陳列棚１は、照明鏡で偏向されるプロジェクタ画像がスクリーンの裏面側にも投影される点、および、照明鏡が載置台の下方にも配置され、載置空間の下方から上方に向かう方向に第２の部分画像が導かれる点が、前述した実施の形態と相違する。
【００５２】
図８は、本実施の形態の陳列棚１の縦断側面図である。陳列棚１の内部構成について、図８に基づいて説明する。
【００５３】
本実施の形態の陳列棚１には、天板２の前端にトップスクリーン７ｃが設けられている。トップスクリーン７ｃも、他のスクリーン７ａ、７ｂと同様に、陳列棚１の内部に設けられる複数枚の反射鏡を備える反射光学系において、プロジェクタ装置１４の内部に設けられている液晶表示装置を物体面として、その液晶表示装置と共役の関係にある像面２９と位置および向きを一致させて配置されている。
【００５４】
そして、本実施の形態の照明鏡２２ｂは、短辺が前述した実施の形態の照明鏡２２ｂの略半分の長さである。そのため、照明鏡２２ａで偏向されたプロジェクタ画像のうち下半分のみを陳列棚１の奥側下方に偏向させ、上半分はトップスクリーン７ｃの裏面側に投影され表面側まで透過投影される。
【００５５】
つまり、本実施の形態の照明鏡２２ａは、トップスクリーン７ｃの裏面側にプロジェクタ画像を導く第１の光学系２３ａの一部を構成すると同時に、最上段の載置台６ａに陳列された品物４にプロジェクタ画像を導く第２の光学系２３ｂの一部をも構成する。
【００５６】
また、本実施の形態の最下段の載置台６ｃは、その前方領域が光を通過させる透明の材質で形成されている。例えば、最下段の載置台６ｃの前方領域は、プロジェクタ画像を遮ることなくそのまま通過させる透明なアクリル板６ｃａであり、載置台６ｃの後方領域は、光を透過しない不透明な白色のアクリル板６ｃｂであって、この二種類のアクリル板６ｃａ、６ｃｂが接続して載置台６ｃが形成されている。このように形成された載置台６ｃの下方の下部空間１９には、最下段の載置台６ｃに載置された品物４に凸面形状の鏡面を向けて配置され、載置空間５ｃの下方から上方に向かう方向に光を拡散して導く凸面鏡の照明鏡２２ｃが設けられる。陳列棚１の下部空間１９で主反射鏡２１の上方には、主反射鏡２１によって偏向されたプロジェクタ画像を照明鏡２２ｃに導く照明鏡２２ｄが配置される。この照明鏡２２ｄは平面鏡であり、その上端を載置台６ｃの高さ位置にあわせて、主反射鏡２１によって偏向されて投影鏡２４ａ、２４ｂおよび照明鏡２２ａに入射されるプロジェクタ画像を遮らない位置に配置される。これらの照明鏡２２ｃ、２２ｄは、プロジェクタ画像を反射する鏡面を一方の面に備えている。
【００５７】
つまり、本実施の形態の照明鏡２２ｃ、２２ｄは、最下段の載置台６ｃに載置された品物４にプロジェクタ画像を導く第２の光学系２３ｂの一部を構成する。
【００５８】
図９は、プロジェクタ装置１４の投影画像の基礎となるコンピュータ１６上で編集生成された画像データの一例を示す模式図である。
【００５９】
本実施の形態の陳列棚１に備えられているスクリーン７（７ａ、７ｂ、７ｃ）の裏面側に投影するプロジェクタ画像の画像データは、図９に示すように、トップスクリーン７ｃに投影する部分画像と最上段の載置台６ａに陳列される品物４を照明する照明光となる部分画像とは互いに隣接して構成されている。さらに、この画像データには、最下段の載置台６ｃの載置空間５ｃに照射される照明光となる部分画像も含まれている。
【００６０】
以上のように構成された本実施の形態の陳列棚１によっても、プロジェクタ装置１４から投射されるプロジェクタ画像を分割し、スクリーン７に表示すべき分割プロジェクタ画像を各スクリーンに導く第１の光学系２３ａの他に、前記プロジェクタ画像を分割し、載置空間の照明光とすべき分割プロジェクタ画像を載置空間に導く第２の光学系２３ｂを設けて、プロジェクタ画像の一部を載置台６に陳列された品物４を照明する照明光として利用するため、電気配線が必要な照明灯を備えなくても、陳列棚１に載置される品物４を照明することができる。さらに、本実施の形態の陳列棚１では、顧客の目に止まりやすい陳列棚１の最上部にトップスクリーン７ｃが設けられるため、陳列棚１から離れた場所にいる顧客に対しても、陳列棚１に陳列された品物４の販促アピールを行うこともでき、また、陳列された品物４を下方から照明するように照明鏡２２ｃ、２２ｄが設けられるため、前述した実施の形態の陳列棚１とは異なった演出方法で品物４を照明することができる。
【図面の簡単な説明】
【００６１】
【図１】陳列棚システムの全体の模式図である。
【図２】陳列棚の全体の斜視図である。
【図３】陳列棚の縦断側面図である。
【図４】プロジェクタ装置に画像データを送信するコンピュータのハードウェア構成を示すブロック図である。
【図５】プロジェクタ装置の投影画像の基礎となる画像データを編集生成するためのコンピュータ上での仕組みを例示する模式図である。
【図６】プロジェクタ装置の投影画像の基礎となるコンピュータ上で編集生成された画像データの一例を示す模式図である。
【図７】コンピュータ上で編集生成された画像データがプロジェクタ装置によって投影された状態の一例を示す陳列棚の模式図である。
【図８】別の実施の形態における陳列棚の縦断側面図である。
【図９】プロジェクタ装置の投影画像の基礎となるコンピュータ上で編集生成された画像データの一例を示す模式図である。
【符号の説明】
【００６２】
１…陳列棚、４…品物、５…載置空間、６…載置台、７…透過型スクリーン、１４…プロジェクタ装置、１９ａ…プロジェクタ設置部、２１…主反射鏡（第１の光学系、第２の光学系）、２２…照明鏡（第２の光学系）、２３ａ…第１の光学系、２３ｂ…第２の光学系、２４…投影鏡（第１の光学系）、４０１…第１の部分画像、４０２…第２の部分画像
【図１】
2008194120.tif 000003
【図２】
2008194120.tif 000004
【図３】
2008194120.tif 000005
【図４】
2008194120.tif 000006
【図５】
2008194120.tif 000007
【図６】
2008194120.tif 000008
【図７】
2008194120.tif 000009
【図８】
2008194120.tif 000010
【図９】
2008194120.tif 000011